(57)【要約】【課題】  本発明は、取り扱いの容易な棚板固定装置を提供することを課題とする。【解決手段】  本発明は、多数のスリット１１０が設けられたサポート部材１０２と、このスリット１１０内に挿入される係止フック１０を有しサポート部材１０２に装着されるブラケット１と、このブラケット１上に載置される棚板４と、に用いられ、サポート部材１０２のスリット１１０に装着される棚板固定装置２であって、棚板固定装置２は、サポート部材１０２のスリット１１０内に挿入され、スリット端部が嵌まり込む凹部２３ｂを有する第１係合部２３と、第１係合部２３が挿入されるスリット１１０の上部に位置するスリット１１０に挿入される第２係合部２１と、第１係合部２３及び第２係合部２１を一方に有する基部２０と、この基部２０に対して上下移動可能に設けられた押さえ部２５と、からなり、押さえ部２５を棚板４上部に当接させ、スリット端部方向に凹部２３が押圧される。【選択図】    図１６
2015029644.tif 000002
【特許請求の範囲】
【請求項１】
多数のスリットが設けられたサポート部材と、このスリット内に挿入される係止部を有し前記サポート部材に装着される支持部材と、この支持部材上に載置される棚板とに用いられ、前記サポート部材のスリットに装着される棚板固定装置であって、
前記棚板固定装置は、前記サポート部材のスリット内に挿入され、スリット端部が嵌まり込む凹部を有する第１係合部と、第１係合部が挿入されるスリットの上部に位置するスリットに挿入される第２係合部と、前記第１係合部及び第２係合部を一方に有する基部と、この基部に対して上下移動可能に設けられた押さえ部と、からなり、前記押さえ部を棚板上部に当接させ、前記スリット端部方向に前記凹部が押圧されることを特徴とする棚板固定装置。
【請求項２】
前記基部の他方に連接して先端収納部が設けられ、この先端収納部に前記押さえ部が上下移動可能に取り付けられていることを特徴とする請求項１に記載の棚板固定装置。
【請求項３】
前記第１係合部の幅は、前記スリットの幅より少し狭く形成され、前記第１係合部の高さは、スリットに挿入され、取り付けられたブラケットの上部とスリットの上端との隙間より少し小さく形成されていることを特徴とする請求項１又は請求項２に記載の棚板固定装置。
【請求項４】
前記第１係合部の先端は、上部が面取り形状に形成され、凹部の先端側端面はテーパー面に形成されていることを特徴とする請求項１ないし請求項３のいずれか１項に記載の棚板固定装置。
【請求項５】
前記第２係合部は、上下に離れた一対の爪部を有し、これら両爪部の両端の間隔は、スリットの幅より少し大きく形成されていることを特徴とする請求項１又は請求項２に記載の棚板固定装置。
【請求項６】
前記両爪部の先端部は、それぞれ外側から中央部に向かってテーパー状に形成されていることを特徴とする請求項５に記載の棚板固定装置。
【請求項７】
前記押さえ部は、ねじ部を有する軸部を有し、前記先端収納部は、前記押さえ部の軸部に設けられたねじ部と螺合するナットを収容するナット収容部とねじ部が入り込む孔部が設けられていることを特徴とする請求項２に記載の棚板固定装置。
【請求項８】
前記第２係合部は、コ字状に形成され、この第２係合部の幅は、スリットの幅より少し小さく形成されて、この第２係合部をスリッに挿入すると、コ字状の第２係合部の下辺がスリット１の下端に当接し、棚板固定装置２を下方向に押すと、コ字状の形状により、棚板固定装置が上方に復帰し、第１係合部の凹部をスリットの上端部と係合させることを特徴とする請求項１又は請求項２に記載の棚板固定装置。
【請求項９】
前記押さえ部は、先端収納部に対して、上下移動自在に支持され、バネ部材にて、下方向に押さえ部が付勢されることを特徴とする請求項２に記載の棚板固定装置。
【発明の詳細な説明】
【技術分野】
【０００１】
この発明は、店舗等で用いられる陳列棚の棚板固定装置に関し、特に、棚板の跳ね上がりを防止する装置に関するものである。
【背景技術】
【０００２】
パイプ鋼材やチャンネル鋼材などのサポート部材の前面に設けられた多数のスリットに、ブラケット後端に設けられた下向きの鈎状の係止フックを係止し、このブラケット上にガラス板等の棚板を載置した陳列棚がある。
【０００３】
この陳列棚に棚板の後方に上向きの力が加わると、スリットよりフックが外れて棚板が落下する虞がある。また、係止フックがスリットより外れなくても棚板がブラケットからずれて落下する虞がある。
【０００４】
棚板の跳ね上がりを防止する装置として、本出願人は、先に特許文献１に記載の陳列棚を提案している。この陳列棚は、多数のスリットが設けられたサポート部材と、このスリット内に挿入される係止部を有し前記サポート部材に装着される支持部材と、この支持部材上に載置される棚板と、この棚板上部に位置するスリットに装着される棚板抑え金具と、を備え、前記棚板押さえ金具は、前記スリット内に挿入される鉤部と、基部と、この基部に対して上下移動可能に設けられた押さえ部とからなり、前記鉤部は、先端部からその根元部までテーパー状に形成され、前記先端部が根元部より基部側へ突出し、前記支持部材と押さえ部とにより棚板を挟み込み、棚板を固定するものである。
【先行技術文献】
【特許文献】
【０００５】
【特許文献１】特許第５０６８９８４号公報
【発明の概要】
【発明が解決しようとする課題】
【０００６】
上記した特許文献１に記載のものにおいては、棚板を支持部材と棚板押さえ金具との間で挟み込むことができ、棚板を固定することができる。これにより、棚板の後方に跳ね上がり方向に力が加わっても棚板が跳ね上がることを防止することができる。
【０００７】
この特許文献１においても、棚板が跳ね上がりを防止することができる。この発明は、特許文献１の棚板押さえ金具を更に改良し、取り扱いの容易な棚板固定装置を提供することを課題とする。
【課題を解決するための手段】
【０００８】
この発明は、多数のスリットが設けられたサポート部材と、このスリット内に挿入される係止部を有し前記サポート部材に装着される支持部材と、この支持部材上に載置される棚板とに用いられ、前記サポート部材のスリットに装着される棚板固定装置であって、前記棚板固定装置は、前記サポート部材のスリット内に挿入され、スリット端部が嵌まり込む凹部を有する第１係合部と、第１係合部が挿入されるスリットの上部に位置するスリットに挿入される第２係合部と、前記第１係合部及び第２係合部を一方に有する基部と、この基部に対して上下移動可能に設けられた押さえ部と、からなり、前記押さえ部を棚板上部に当接させ、前記スリット端部方向に前記凹部が押圧されることを特徴とする。
【０００９】
また、前記基部の他方に連接して先端収納部が設けられ、この先端収納部に前記押さえ部が上下移動可能に取り付けられているように構成できる。
【００１０】
また、前記第１係合部の幅は、前記スリットの幅より少し狭く形成され、前記第１係合部の高さは、スリットに挿入され、取り付けられたブラケットの上部とスリットの上端との隙間より少し小さく形成されているように構成できる。
【００１１】
前記第１係合部の先端は、上部が面取り形状に形成され、凹部の先端側端面はテーパー面に形成されているように構成できる。
【００１２】
また、前記第２係合部２１は、上下に離れた一対の爪部を有し、これら両爪部の両端の間隔は、スリットの幅より少し大きく形成されているように構成できる。
【００１３】
さらに、前記両爪部の先端部は、それぞれ外側から中央部に向かってテーパー状に形成するとよい。
【００１４】
また、前記押さえ部は、ねじ部を有する軸部を有し、前記先端収納部は、前記押さえ部の軸部に設けられたねじ部と螺合するナットを収容するナット収容部とねじ部が入り込む孔部が設けられているように構成できる。
【００１５】
また、前記第２係合部は、コ字状に形成され、この第２係合部の幅は、スリットの幅より少し小さく形成されて、この第２係合部をスリッに挿入すると、コ字状の第２係合部の下辺がスリット１の下端に当接し、棚板固定装置２を下方向に押すと、コ字状の形状により、棚板固定装置が上方に復帰し、第１係合部の凹部をスリットの上端部と係合させるように構成できる。
【００１６】
また、前記押さえ部は、先端収納部に対して、上下移動自在に支持され、バネ部材にて、下方向に押さえ部が付勢されるように構成できる。
【発明の効果】
【００１７】
この発明は、第１係合部の後部には、スリットの上端と係合する凹部が設けられているので、棚板固定装置を上に移動させたときに、スリットの上端部と係合し、棚板固定装置の離脱を防止することができる。そして、棚板固定装置の押さえ部を棚板に当接させて、棚板固定装置とブラケットの間で棚板を挟み込み、棚板の跳ね上がりを防止することができる。
【図面の簡単な説明】
【００１８】
【図１】この発明の第１の実施形態にかかる棚板固定装置を示す斜視図である。
【図２】この発明の第１の実施形態にかかる棚板固定装置を示す側面図である。
【図３】この発明の第１の実施形態にかかる棚板固定装置を示す正面図である。
【図４】この発明の第１の実施形態にかかる棚板固定装置を示す背面図である。
【図５】この発明の第１の実施形態にかかる棚板固定装置を示す上面図である。
【図６】図３のＡ−Ａ線断面図である。
【図７】この発明の第１の実施形態にかかる棚板固定装置を示す分解斜視図である。
【図８】この発明の第１の実施形態にかかる棚板固定装置を示す分解斜視図である。
【図９】この発明の第１の実施形態にかかる棚板固定装置を陳列棚に取り付ける状態を示す斜視図である。
【図１０】この発明の第１の実施形態にかかる棚板固定装置を陳列棚に取り付ける状態を示す斜視図である。
【図１１】この発明の第１の実施形態にかかる棚板固定装置を陳列棚に取り付ける状態を示す斜視図である。
【図１２】この発明の第１の実施形態にかかる棚板固定装置を陳列棚に取り付けた状態を示す斜視図である。
【図１３】この発明の第１の実施形態にかかる棚板固定装置を陳列棚に取り付けた状態を示す側面図である。
【図１４】この発明の第１の実施形態にかかる棚板固定装置を陳列棚に取り付ける状態を示す縦断面図である。
【図１５】この発明の第１の実施形態にかかる棚板固定装置を陳列棚に取り付ける状態を示す縦断面図である。
【図１６】この発明の第１の実施形態にかかる棚板固定装置を陳列棚に取り付けた状態を示す縦断面図である。
【図１７】この発明の第２の実施形態にかかる棚板固定装置を示す斜視図である。
【図１８】この発明の第２の実施形態にかかる棚板固定装置を示す側面図である。
【図１９】この発明の第２の実施形態にかかる棚板固定装置を示す正面図である。
【図２０】図１９のＡ−Ａ線断面図である。
【図２１】この発明の第２の実施形態にかかる棚板固定装置を陳列棚に取り付ける状態を示す縦断面図である。
【図２２】この発明の第２の実施形態にかかる棚板固定装置を陳列棚に取り付ける状態を示す縦断面図である。
【図２３】この発明の第２の実施形態にかかる棚板固定装置を陳列棚に取り付けた状態を示す縦断面図である。
【図２４】この発明の第３の実施形態にかかる棚板固定装置を示す斜視図である。
【図２５】この発明の第３の実施形態にかかる棚板固定装置を示す側面図である。
【図２６】この発明の第３の実施形態にかかる棚板固定装置を示す正面図である。
【図２７】図２６のＡ−Ａ線断面図である。
【図２８】この発明の第３の実施形態にかかる棚板固定装置を陳列棚に取り付ける状態を示す縦断面図である。
【図２９】この発明の第３の実施形態にかかる棚板固定装置を陳列棚に取り付ける状態を示す縦断面図である。
【図３０】この発明の第３の実施形態にかかる棚板固定装置を陳列棚に取り付けた状態を示す縦断面図である。
【発明を実施するための形態】
【００１９】
この発明の実施の形態について図面を参照しながら詳細に説明する。なお、図中同一または相当部分には同一符号を付し、説明の重複を避けるためにその説明は繰返さない。
【００２０】
この発明は、店舗などに設置される陳列棚の棚板の跳ね上がりを防止するための棚板固定装置に関するものであり、この発明の棚板固定装置を取り付けた陳列棚につき、図１２及び図１３を参照して説明する。
【００２１】
例えば、図１２の陳列棚の斜視図に示すように、壁面１０１に適当な間隔を置いてチャンネル鋼材などからなるサポート部材１０２を、タップねじ１０３を用いて固定する。なお、壁面１０１に直接サポート部材１０２を取り付けるのではなく、支柱を適当な間隔を置いて設置し、支柱にサポート部材１０２を、タップねじ１０３を用いて固定する場合もある。そして、サポート部材１０２間には必要に応じてバックボードが取り付けられる。
【００２２】
サポート部材１０２は、上下多段のスリット１１０が設けられていると共に、スリット１１０内部に挿入されたブラケット１の係止フックが上下に移動できる縦溝１０８が設けられている。そして、図１４の縦断面図に示すように、ブラケット１の後端部には上下２段以上のＬ字型の係止フック１０が形成されている。サポート部材１０２のスリット１１０に係止フック１０が挿入され、ブラケット１を下げることにより、ブラケット１がサポート部材１０２に係止される。
【００２３】
サポート部材１０２のスリット１１０は、縦長の各長孔に形成され、その幅ｓ（図９参照）は係止フック１０の挿抜を容易にするために、ブラケット１の板厚よりも若干大きくしている。
【００２４】
サポート部材１０２に係止されたブラケット１の上にガラス板等からなる棚板４が載置される。そして、棚板４の上部に位置するサポート部材１０２のスリット１１０に、この発明の棚板固定装置２が装着され、棚板固定装置２とブラケット１の間で棚板４を挟み込み、棚板４の跳ね上がりを防止する。
【００２５】
以下、この発明の第１の実施形態の棚板固定装置２につき、図１から図８を参照して説明する。この棚板固定装置２は、スリット１１０内に挿入され、スリット１１０端部が嵌まり込む凹部２３ｂを有する第１係合部２３と、第１係合部２３が挿入されるスリット１１０の更に上部に位置するスリット１１０に挿入される第２係合部２１と、第１係合部２３及び第２係合部２１を一方に有する基部２０と、この基部２０に対して上下移動可能に設けられた押さえ部２５とを備える。押さえ部２５は、基部２０の他方に連接された先端収納部２４に上下移動可能に取り付けられている。
【００２６】
基部２０、先端収納部２４、第１係合部２３、第２係合部２１は樹脂の一体成形により形成されている。第１係合部２３の幅ｗ１は、スリット１１０の幅より少し狭く形成され、スリット１１０内に容易に挿抜可能に形成されている。また、第１係合部２３の高さｈは、スリット１１０に挿入され、取り付けられたブラケット１の上部とスリット１１０の上端との隙間より少し小さく形成されている。そして、第１係合部２３の先端は、スリット１１０に挿入を容易にするために上部が面取り形状に形成されている。第１係合部２３の後部には、スリット１１０の上端と係合する凹部２３ｂが設けられている。第１係合部２３の凹部２３ｂは棚板固定装置２を上に移動させたときに、スリット１１０の上端部と係合し、棚板固定装置２の離脱を防止する。
【００２７】
この実施形態の棚板固定装置２は、後述するように、ブラケット１が挿入され、取り付けられたスリット１１０と同じスリット１１０に第１係合部２３が挿入され取り付けられる。この第１係合部２３をブラケット１が挿入されたスリット１１０の隙間に装着することで、棚板固定装置２のスリット１１０の装着と同時にブラケット１の抜け止めとしての機能を果たすことになる。
【００２８】
また、第１係合部２３の凹部２３ｂの先端側端面はテーパー面２３ａに形成され、棚板固定装置２をスリット１１０から取り外す際に、このテーパー面２３ａに沿って棚板固定装置２を回転させて容易にスリット１１０から第１係合部２３が外れるように構成されている。
【００２９】
第２係合部２１は、上下に離れた一対の爪部２１ａ、２１ｂを有し、これら両爪部の２１ａ、２１ｂの両端の間隔ｗ２は、スリット１１０の幅より少し大きく形成されている。両爪部２１ａ、２１ｂの先端部は、それぞれ外側から中央部に向かってテーパー状に形成され、スリット１１０への挿入を容易にしている。この第２係合部の両爪部２１ａ、２２ｂの基部には凹部２２が形成されている。この凹部２２の先端側端面はテーパー面２２ａに形成され、第２係合部２１をスリット１１０から取り外す際に、スリット１１０の縦縁側がテーパー面２２ａに沿って移動して、第２係合部２１の各爪部２１ａ、２１ｂがスリット１１０から外れるように構成されている。
【００３０】
この第２係合部２１をスリット１１０に挿入すると、爪部２１ａ、２１ｂのテーパー状の先端部により、スリット１１０内に案内され、爪部２１ａ、２１ｂが若干撓みながらスリット１１０内に入り込み、スリット１１０に第２係合部２１が装着される。
【００３１】
先端収納部２４は、図６〜図８に示すように、押さえ部２５の軸部２６に設けられたねじ部２６ａと螺合するナット２７を収容するナット収容部２４ａとねじ部２６ａが入り込む孔部２４ｂが設けられている。軸部２６の先端部２６ｂにローレット加工された円筒状の摘み部２５ａが嵌め込まれる。先端部２６ｂには凹部２６ｃが設けられ、摘み部２５ａには、凹部２６ｃと係合する凸部２５ｃが設けられている。
【００３２】
先端収納部２４の先端部は円弧状に形成され、摘み部２５ａと一体的な形状に形成している。また、摘み部２５ａの棚板と当接する箇所には図２に示すように、半円形状の頭部２５ｂが設けられている。
【００３３】
ナット収容部２４ａにナット２７を装着し、このナット２７に軸部２６のねじ部２６ａを螺合させ、摘み部２５ａを回すことにより、押さえ部２５が基部２０に対して上下に移動可能に取り付けられる。
【００３４】
また、基部２０の下方には、棚板を取り付けるときの高さ方向の目安になるように、矩形状の板部２８が設けられている。
【００３５】
図６は、図３のＡ−Ａ線断面図であり、この図６に示すように、ナット収容部２４ａにナット２７が装着され、このナット２７に軸部２６のねじ部２６ａを螺合させることにより、摘み部２５ａを備えた押さえ部２５が基部２０に対して固定される。そして、摘み部２５ａをねじ込み方向或いは取り外し方向に回すことにより、ねじ部２６ａがナット２７に対して、ねじ込み方向或いは取り外し方向に回転し、軸部２６が上下に移動し、押さえ部２５が上下に移動する。
【００３６】
次に、この棚板固定装置２を用いた棚板４の固定につき、図９から図１４を参照し説明する。
【００３７】
図９の斜視図及び図１４の縦断面図に示すように、壁面１０１に固定されたサポート部材１０２のスリット１１０の内部にブラケット１の係止フック１０を挿入し、ブラケット１を下げることにより、スリット１１０の下端に係止フック１０が係合し、ブラケット１がサポート部材１０２に係止される。
【００３８】
ブラケット１が挿入されたスリット１１０に第１係合部２３を、その上のスリット１１０に第２係合部２１を挿入して棚板固定装置２をサポート部材１０２に取り付ける。
【００３９】
この取り付けは、棚板固定装置２の第１係合部２３の下をブラケット１の上面部分に合わせ、そして、第２係合部２１をその上のスリット１１０に合わせて、第１係合部２３及び第２係合部２１をそれぞれのスリット１１０に挿入する。第１係合部の幅ｗ１は、スリット１１０の幅より少し狭く、高さｈは、ブラケット１の上部とスリット１１０の上端との隙間より少し小さく形成されているので、スリット１１０内に第１係合部２３が容易に挿入される。
【００４０】
第２係合部２１の爪部２１ａ、２１ｂの両端の間隔ｗ２は、スリット１１０の幅より少し大きく形成され、この第２係合部２１をスリット１１０に挿入すると、爪部２１ａ、２１ｂのテーパー状の先端部により、スリット１１０内に案内され、爪部２１ａ、２１ｂが若干撓みながらスリット１１０内に入り込むと、爪部２１ａ、２１ｂがスリット１１０の両縁側に当接して、スリット１１０に第２係合部２１が装着される。
【００４１】
そして、図１０及び図１４に示すように、棚板固定装置２を上に移動させ、第１係合部２３の凹部２３ｂをスリット１１０の上端部と係合させ、棚板固定装置２の脱落を防止して、サポート部材１０２に棚板固定装置２が装着される。
【００４２】
続いて、図１１及び図１５に示すように、ブラケット１の上面に棚板４を載せる。このとき、棚板固定装置２の押さえ部２５の摘み部２５ａは、先端収納部２４と接する状態に位置させ、棚板４をブラケット１上に載置する際に邪魔にならないようにする。
【００４３】
図１５に示すように、ブラケット１上に棚板４を載置すると、棚板固定装置２の押さえ部２５の先端と棚板４との間には、隙間がある。この状態から摘み部２５ａを回し、図１２、図１３及び図１６に示すように、押さえ部２５を棚板４方向に下げる。この押さえ部２５の頭部２５ｂを当接させるために、摘み部２５ａを取り外し方向に回すことにより、ねじ部２６ａがナット２７に対して、取り外し方向に回転し、軸部２６が下に移動し、押さえ部２５が下に移動して、棚板４の方向へ移動する。このように、摘み部２５ａを回し、摘み部２５ａの頭部２５ｂを棚板４に当接させて、棚板固定装置２とブラケット１の間で棚板４を挟み込み、棚板４の跳ね上がりを防止する。
【００４４】
また、押さえ部２５を棚板４に押しつけることにより、第１係合部２３の凹部２３ｂは、スリット１１０の上端方向へ力が付勢されることになり、棚板固定装置２のサポート部材１０２への固定力が増し、棚板固定装置２の離脱をより抑制することができる。
【００４５】
棚板４を取り外す際には、押さえ部２５を棚板４から離すために、摘み部２５ａをねじ込み方向に回すことにより、ねじ部２６ａがナット２７に対して、ねじ込み方向に回転し、軸部２６が上に移動し、押さえ部２５が上に移動して、棚板４から押さえ部２５が離れる。
【００４６】
押さえ部２５を棚板４から離間させ、棚板４をブラケット１から取り外す。棚板固定装置２を外すには、棚板固定装置２を下に押し下げ、第１係合部２３の凹部２３ｂとスリット１１０の係合を解除する。そして、棚板固定装置２を回転させて、テーパー面２３ａに沿って第１係合部２３が移動し、スリット１１０から第１係合部２３が外れる。
【００４７】
そして、第２係合部２１をスリット１１０から抜くように引っ張ると、スリット１１０の縦縁側がテーパー面２２ａに沿って移動して、第２係合部２１の各爪部２１ａ、２１ｂがスリット１１０から外れる。
【００４８】
次に、この発明の第２の実施形態にかかる棚板固定装置２につき図１７〜図２３を参照して説明する。
【００４９】
この第２の実施形態にかかる棚板固定装置２は、スリット１１０内に挿入され、スリット１１０端部が嵌まり込む凹部２３ｂを有する第１係合部２３と、第１係合部２３が挿入されるスリット１１０の更に上部に位置するスリット１１０に挿入される第２係合部２１０と、基部２０と、この基部２０に対して上下移動可能に設けられた押さえ部２５とを備える。押さえ部２５は、基部２０に連接された先端収納部２４に上下移動可能に取り付けられている。
【００５０】
基部２０、先端収納部２４、第１係合部２３、第２係合部２１０は樹脂の一体成形により形成されている。第１係合部２３は、第１の実施形態の棚板固定装置２と同様に形成され、その幅は、スリット１１０の幅より少し狭く形成され、その高さは、スリット１１０に挿入され、取り付けられたブラケット１の上部とスリット１１０の上端との隙間より少し小さく形成され、第１係合部２３がスリット１１０内に容易に挿抜可能に形成されている。
【００５１】
同様に、第１係合部２３の後部には、スリット１１０の上端と係合する凹部２３ｂが設けられている。第１係合部２３の凹部２３ｂは棚板固定装置２を上に移動させたときに、スリット１１０の上端部と係合し、棚板固定装置２の離脱を防止する。
【００５２】
この第２の実施形態の棚板固定装置２においても第１の実施形態と同様に、ブラケット１が挿入され、取り付けられたスリット１１０と同じスリット１１０に第１係合部２３が挿入され取り付けられる。この第１係合部２３をブラケット１が挿入されたスリット１１０の隙間に装着することで、棚板固定装置２のスリット１１０の装着と同時にブラケット１の抜け止めとしての機能を果たすことになる。
【００５３】
第２係合部２１０は、コ字状に形成され、この第２係合部２１０の幅は、スリット１１０の幅より少し小さく形成されている。
【００５４】
この第２係合部２１をスリット１１０に挿入すると、コ字状の第２係合部２１０の下辺がスリット１１０の下端に当接し、棚板固定装置２を下方向に押すと、コ字状の形状により、棚板固定装置２が上方に復帰し、第１係合部２３の凹部２３ｂをスリット１１０の上端部と係合させる。
【００５５】
先端収納部２４は、図１８〜図２０に示すように、押さえ部２５の軸部２６に設けられたねじ部２６ａとこのねじ部２６ａと螺合する雌ねじ部２４ｃが設けられている。軸部２６の先端部２６ｂにローレット加工された円筒状の摘み部２５ａが嵌め込まれる。先端部２６ｂには凹部２６ｃが設けられ、摘み部２５ａには、凹部２６ｃと係合する凸部２５ｃが設けられている。
【００５６】
先端収納部２４の先端部は円弧状に形成され、摘み部２５ａと一体的な形状に形成している。また、摘み部２５ａの棚板と当接する箇所には図１９に示すように、半円形状の頭部２５ｂが設けられている。
【００５７】
雌ねじ部２４ｃに軸部２６のねじ部２６ａを螺合させ、摘み部２５ａを回すことにより、押さえ部２５が基部２０に対して上下に移動可能に取り付けられる。
【００５８】
また、基部２０の下方には、棚板を取り付けるときの高さ方向の目安になるように、矩形状の板部２８が設けられている。
【００５９】
図２０は、図１９のＡ−Ａ線断面図であり、この図１９に示すように、先端収納部２４に雌ねじ部２４ｃが形成され、この雌ねじ部２４ｃに軸部２６のねじ部２６ａを螺合させることにより、摘み部２５ａを備えた押さえ部２５が基部２０に対して固定される。そして、摘み部２５ａをねじ込み方向或いは取り外し方向に回すことにより、ねじ部２６ａが雌ねじ部２４ｃに対して、ねじ込み方向或いは取り外し方向に回転し、軸部２６が上下に移動し、押さえ部２５が上下に移動する。
【００６０】
次に、この第２の実施形態の棚板固定装置２を用いた棚板４の固定につき、図２１から図２３を参照し説明する。
【００６１】
図２１の縦断面図に示すように、壁面１０１に固定されたサポート部材１０２のスリット１１０に内部にブラケット１の係止フック１０を挿入し、ブラケット１を下げることにより、スリット１１０の下端に係止フック１０が係合し、ブラケット１がサポート部材１０２に係止される。
【００６２】
ブラケット１が挿入されたスリット１１０に第１係合部２３をその上のスリット１１０に第２係合部２１を挿入して棚板固定装置２をサポート部材１０２に取り付ける。
【００６３】
この取り付けは、棚板固定装置２の第１係合部２３の下をブラケット１の上面部分に合わせ、そして、第２係合部２１をその上のスリット１１０に合わせて、第１係合部２３及び第２係合部２１をそれぞれのスリット１１０に挿入する。第１係合部の幅は、スリット１１０の幅より少し狭く、高さは、ブラケット１の上部とスリット１１０の上端との隙間より少し小さく形成されているので、スリット１１０内に第１係合部２３が容易に挿入される。
【００６４】
第２係合部２１０の幅は、スリット１１０の幅より少し小さく形成され、この第２係合部２１０をスリット１１０に挿入すると、第２係合部２１０がスリット１１０内に案内され、スリット１１０に第２係合部２１０が装着される。
【００６５】
そして、図２１に示すように、棚板固定装置２を上に移動させ、第１係合部２３の凹部２３ｂをスリット１１０の上端部と係合させ、棚板固定装置２の脱落を防止して、サポート部材１０２に棚板固定装置２が装着される。
【００６６】
続いて、図２２に示すように、ブラケット１の上面に棚板４を載せる。このとき、棚板固定装置２の押さえ部２５の摘み部２５ａは、先端収納部２４と接する状態に位置させ、棚板４をブラケット１上に載置する際に邪魔にならないようにする。
【００６７】
図２２に示すように、ブラケット１上に棚板４を載置すると、棚板固定装置２の押さえ部２５の先端と棚板４との間には、隙間がある。この状態から摘み部２５ａを回し、図２３に示すように、押さえ部２５を棚板４方向に下げて、押さえ部２５の頭部２５ｂを当接させる。このために、摘み部２５ａを取り外し方向に回すことにより、ねじ部２６ａが雌ねじ部２４ｃに対して、取り外し方向に回転し、軸部２６が下に移動し、押さえ部２５が下に移動して、棚板４の方向へ移動する。摘み部２５ａを回し、摘み部２５ａの頭部２５ｂを棚板４に当接させて、棚板固定装置２とブラケット１の間で棚板４を挟み込み、棚板４の跳ね上がりを防止する。
【００６８】
また、押さえ部２５を棚板４に押しつけることにより、第１係合部２３の凹部２３ｂは、スリット１１０の上端方向へ力が付勢されることになり、棚板固定装置２のサポート部材１０２への固定力が増し、棚板固定装置２の離脱をより抑制することができる。
【００６９】
棚板４を取り外す際には、押さえ部２５を棚板４から離すために、摘み部２５ａをねじ込み方向に回すことにより、ねじ部２６ａが雌ねじ部２４ｃに対して、ねじ込み方向に回転し、軸部２６が上に移動し、押さえ部２５が上に移動して、棚板４から押さえ部２５が離れる。
【００７０】
押さえ部２５を棚板４から離間させ、棚板４をブラケット１から取り外す。棚板固定装置２を外すには、棚板固定装置２を下に押し下げ、第１係合部２３の凹部２３ｂとスリット１１０の係合を解除する。そして、棚板固定装置２を引っ張り、スリット１１０から第１係合部２３を外す。
【００７１】
そして、第２係合部２１０をスリット１１０から抜くように引っ張ると、第２係合部２１０がスリット１１０から外れる。
【００７２】
次に、この発明の第３の実施形態の棚板固定装置２につき、図２４から図３０を参照して説明する。この第３の実施形態の棚板固定装置２においても、棚板の上部に位置するスリット１１０内に挿入され、スリット１１０端部が嵌まり込む凹部２３ｂを有する第１係合部２３と、第１係合部２３が挿入されるスリット１１０の更に上部に位置するスリット１１０に挿入される第２係合部２１と、基部２０と、この基部２０に対して上下移動可能に設けられた押さえ部２５とを備える。この押さえ部２５は、基部２０に連接された先端収納部２４に上下移動可能に取り付けられている。
【００７３】
基部２０、先端収納部２４、第１係合部２３、第２係合部２１は樹脂の一体成形により形成されている。
【００７４】
この第３の実施形態の棚板固定装置２における第１係合部２３、第２係合部２１は、第１の実施形態の棚板固定装置２のものと同様であるので、説明の重複を避けるために、同一部分には同一符号を付しその説明を割愛する、
【００７５】
第１、第２の実施形態における棚板固定装置２の押さえ部２５は、ねじの回転により上下移動させている。これに対して、この第３の実施形態における押さえ部２５は、先端収納部２４に対して、上下移動自在に押さえ部２５を支持し、バネ部材２６０にて、下方向に押さえ部２５が付勢されるように構成している。
【００７６】
先端収納部２４は、図２５〜図２７に示すように、押さえ部２５の軸部２６を収容する収納凹部２４０が設けられ、この凹部２４０内に軸部２６が挿入される。軸部２６に圧縮コイルバネ等からなるバネ部材２６０が取り付けられ、このバネ部材２６０と共に軸部２６が凹部２４０内に上下動可能に取り付けられる。軸部２６の先端と凹部２４０の端部との間に装着されたバネ部材２０６により、頭部２５ｄが棚板方向へ付勢されている。そして、軸部２６の先端部２６ｂにローレット加工された円筒状の摘み部２５ａが嵌め込まれる。先端部２６ｂには凹部２６ｃが設けられ、摘み部２５ａには、凹部２６ｃと係合する凸部２５ｃが設けられている。尚、図示はしないが、先端収納部２４には、軸部２６の抜け止めが設けられている。
【００７７】
先端収納部２４の先端部は円弧状に形成され、摘み部２５ａと一体的な形状に形成している。また、摘み部２５ａの棚板と当接する箇所には図２６に示すように、半円形状の頭部２５ｂが設けられている。
【００７８】
また、基部２０の下方には、棚板を取り付けるときの高さ方向の目安になるように、矩形状の板部２８が設けられている。
【００７９】
図２７は、図２６のＡ−Ａ線断面図であり、この図２７に示すように、バネ部材２６０により、軸部２６が下方向に付勢され、バネ部材２６０の付勢力に抗して摘み部２５ａと共に軸部２６を押し上げると、押さえ部２５が上に移動する。
【００８０】
次に、この第３の実施形態の棚板固定装置２を用いた棚板４の固定につき、図２８から図３０を参照し説明する。
【００８１】
図２８の縦断面図に示すように、壁面１０１に固定されたサポート部材１０２のスリット１１０に内部にブラケット１の係止フック１０を挿入し、ブラケット１を下げることにより、スリット１１０の下端に係止フック１０が係合し、ブラケット１がサポート部材１０２に係止される。
【００８２】
ブラケット１が挿入されたスリット１１０に第１係合部２３をその上のスリット１１０に第２係合部２１を挿入して棚板固定装置２をサポート部材１０２に取り付ける。
【００８３】
この取り付けは、棚板固定装置２の第１係合部２３の下をブラケット１の上面部分に合わせ、そして、第２係合部２１をその上のスリット１１０に合わせて、第１係合部２３及び第２係合部２１をそれぞれのスリット１１０に挿入する。第１係合部の幅ｗ１は、スリット１１０の幅より少し狭く、高さｈは、ブラケット１の上部とスリット１１０の上端との隙間より少し小さく形成されているので、スリット１１０内に第１係合部２３が容易に挿入される。
【００８４】
第２係合部２１の爪部２１ａ、２１ｂの両端の間隔ｗ２は、スリット１１０の幅より少し大きく形成され、この第２係合部２１をスリット１１０に挿入すると、爪部２１ａ、２１ｂのテーパー状の先端部により、スリット１１０内に案内され、爪部２１ａ、２１ｂが若干撓みながらスリット１１０内に入り込むと、爪部２１ａ、２１ｂがスリット１１０の両縁側に当接して、スリット１１０に第２係合部２１が装着される。
【００８５】
そして、図２８に示すように、棚板固定装置２を上に移動させ、第１係合部２３の凹部２３ｂをスリット１１０の上端部と係合させ、棚板固定装置２の脱落を防止して、サポート部材１０２に棚板固定装置２が装着される。このとき棚板固定装置２の押さえ部２５は、バネ部材２６０の付勢力により、ブラケット１の方向へ突出している。
【００８６】
続いて、図２９に示すように、棚板固定装置２の押さえ部２５をバネ部材２６０の付勢力に抗して、手等により上方向に移動させて、先端収納部２４と接する状態にして、棚板４をブラケット１上に載置する際に邪魔にならないようにする。そして、ブラケット１の上面に棚板４を載せる。
【００８７】
図２０に示すように、押さえ部２５の先端から手等を離し、バネ部材２６０の付勢力により、押さえ部２５を棚板４方向へ移動させる。押さえ部２５の先端の頭部２５ｂを棚板４に当接させ、バネ部材２６０の付勢力にて、棚板固定装置２とブラケット１の間で棚板４を挟み込み、棚板４の跳ね上がりを防止する。
【００８８】
また、押さえ部２５を棚板４に押しつけることにより、第１係合部２３の凹部２３ｂは、スリット１１０の上端方向へ力が付勢されることになり、棚板固定装置２のサポート部材１０２への固定力が増し、棚板固定装置２の離脱をより抑制することができる。
【００８９】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００９０】
１      ブラケット
２      棚板固定装置
４      棚板
１０    係止フック
２０    基部
２１    第２係合部
２１ａ  爪部
２１ｂ  爪部
２２    凹部
２２ａ  テーパー面
２２ｂ  両爪部
２３    第１係合部
２３ａ  テーパー面
２３ｂ  凹部
２４    先端収納部
２４ａ  ナット収容部
２４ｂ  孔部
２４ｃ  雌ねじ部
２５    押さえ部
２５ａ  摘み部
２５ｃ  凸部
２５ｄ  頭部
２６    軸部
２６ａ  ねじ部
２６ｂ  先端部
２６ｃ  凹部
２７    ナット
２８    板部
１０１  壁面
１０２  サポート部材
１１０  スリット
２１０  第２係合部
２４０  収納凹部
２６０  バネ部材
【図１】
2015029644.tif 000003
【図２】
2015029644.tif 000004
【図３】
2015029644.tif 000005
【図４】
2015029644.tif 000006
【図５】
2015029644.tif 000007
【図６】
2015029644.tif 000008
【図７】
2015029644.tif 000009
【図８】
2015029644.tif 000010
【図９】
2015029644.tif 000011
【図１０】
2015029644.tif 000012
【図１１】
2015029644.tif 000013
【図１２】
2015029644.tif 000014
【図１３】
2015029644.tif 000015
【図１４】
2015029644.tif 000016
【図１５】
2015029644.tif 000017
【図１６】
2015029644.tif 000018
【図１７】
2015029644.tif 000019
【図１８】
2015029644.tif 000020
【図１９】
2015029644.tif 000021
【図２０】
2015029644.tif 000022
【図２１】
2015029644.tif 000023
【図２２】
2015029644.tif 000024
【図２３】
2015029644.tif 000025
【図２４】
2015029644.tif 000026
【図２５】
2015029644.tif 000027
【図２６】
2015029644.tif 000028
【図２７】
2015029644.tif 000029
【図２８】
2015029644.tif 000030
【図２９】
2015029644.tif 000031
【図３０】
2015029644.tif 000032